(57)【特許請求の範囲】
【請求項１】
第１及び第２のフランジを有し、この第１のフランジと第２のフランジとの間に各巻線が巻回されるボビンと、
巻開始端であると共に接地されない第１の端子と巻終了端であると共に接地される第２の端子との間を結ぶ第１の一次側巻線と、
巻終了端であると共に接地される第３の端子と巻開始端であると共に接地されない第４の端子との間を結ぶ第２の一次側巻線と、
巻開始端であると共に接地されない第５の端子と巻終了端であると共に接地される第６の端子との間を結ぶ第１の二次側巻線と、
巻開始端であると共に接地される第７の端子と巻終了端であると共に接地されない第８の端子との間を結ぶ第２の二次側巻線と、
を具備し、
前記第１及び第２の二次側巻線がバイファラ巻きにより、巻開始端と巻終了端とが同じ第２のフランジに近接するように偶数層巻きされ、
前記第１の一次側巻線と前記第２の一次側巻線の夫々の巻開始端が同じ第１のフランジに近接するように巻回され、
前記第１の一次側巻線と前記第２の一次側巻線の夫々の巻終了端とが同じ第２のフランジに近接するように巻回され、
前記第１の一次側巻線の巻旋回方向に対し、前記第２の一次側巻線の巻き旋回方向が逆方向とされていることを特徴とするパルストランス。
【請求項２】
前記第１及び第２の二次側巻線が、前記第１の一次側巻線と前記第２の一次側巻線により挟まれた状態で積層される如く巻回され、前記第１及び第２の二次側巻線と前記第１の一次側巻線との間と、前記第１及び第２の二次側巻線と前記第２の一次側巻線との間に、夫々所要の巻数の絶縁テープが巻回されていることを特徴とする請求項１に記載のパルストランス。
【請求項３】
第１及び第２のフランジを有し、この第１のフランジと第２のフランジとの間に各巻線が巻回されるボビンと、
巻終了端であると共に接地されない第１の端子と巻開始端であると共に接地される第２の端子との間を結ぶ第１の一次側巻線と、
巻開始端であると共に接地されない第１の端子と巻終了端であると共に接地される第２の端子との間を結ぶ第２の一次側巻線と、
巻終了端であると共に接地される第３の端子と巻開始端であると共に接地されない第４の端子との間を結ぶ第３の一次側巻線と、
巻開始端であると共に接地される第３の端子と巻終了端であると共に接地されない第４の端子との間を結ぶ第４の一次側巻線と、
巻開始端であると共に接地されない第５の端子と巻終了端であると共に接地される第６の端子との間を結ぶ第１の二次側巻線と、
巻開始端であると共に接地される第７の端子と巻終了端であると共に接地されない第８の端子との間を結ぶ第２の二次側巻線と、
を具備し、
前記第１の一次側巻線と前記第２の一次側巻線とが、前記第１の端子と前記第２の端子との間に並列接続され、
前記第３の一次側巻線と前記第４の一次側巻線とが、前記第３の端子と前記第４の端子との間に並列接続され、
前記第１及び第２の二次側巻線がバイファラ巻きにより、巻開始端と巻終了端とが同じ第２のフランジに近接するように偶数層巻きされ、
前記第１及び第３の一次側巻線がバイファラ巻きにより、巻開始端と巻終了端とが同じ第１のフランジに近接するように偶数層巻きされ、
前記第２及び第４の一次側巻線がバイファラ巻きにより、巻開始端と巻終了端とが同じ第１のフランジに近接するように偶数層巻きされ、
前記第１及び第３の一次側巻線の巻旋回方向に対し、前記第２及び第４の一次側巻線の巻旋回方向が逆方向とされていることを特徴とするパルストランス。
【請求項４】
前記第１及び第２の二次側巻線が、前記第１及び第３の一次側巻線と前記第２及び第４の一次側巻線により挟まれた状態で積層される如く巻回され、前記第１及び第２の二次側巻線と前記第１及び第３の一次側巻線との間と、前記第１及び第２の二次側巻線と前記第２及び第４の一次側巻線との間に、夫々所要の巻数の絶縁テープが巻回されていることを特徴とする請求項３に記載のパルストランス。
【発明の詳細な説明】
【０００１】
【発明の属する技術分野】
この発明は、例えば、ＡＤＳＬ（Asymmetrical Digital Subscriber Line）などに適用可能なパルストランスに関するものである。
【０００２】
【従来の技術】
図７に示されるようにＡＤＳＬにおいては、一般電話回線１０１に対し、１６Ｈｚのベル信号を通過させるコンデンサＣ１とコイルＬ１による回路と並列にパルストランスＰＴ１が配置され、電話機やファクシミリ装置等が接続される。また、一般電話回線１０１に対し、コンデンサＣ２を介して絶縁用のパルストランスＰＴ２が接続され、このパルストランスＰＴ２に対してデータ通信送受信用回路が接続される。
【０００３】
上記において、パルストランスＰＴ２は音声周波数帯より高い周波数の信号を一般電話回線１０１に重畳してデータ通信を行うために設けられるものであり、その扱う周波数は３０ＫＨｚ以上である。このようにデータ通信の周波数帯域は一般電話回線１０１の主帯域外であるために、伝送損失が大きく、扱う信号のレベルも低くなる。
【０００４】
そして、上記パルストランスＰＴ２では、縦電流バランス（Longitudinal  Balance ）特性が要求される。ここに縦電流は、図８に示されるような一般電話回線１０１の各電線を用いて、大地を帰路として用いる平衡２導線中を同一方向に流れる電流Ｉａ、Ｉｂである。
【０００５】
図８に示されるように一般電話回線１０１は、平衡型線路であり、空中を引き回して各家庭等まで延びているものであるから、不要な放送電波Ｎ１や市街地雑音Ｎ２等がコモンモードでペアワイヤに重畳する可能性がある。
【０００６】
【発明が解決しようとする課題】
従って、上記のデータ通信側に用いられるパルストランスＰＴ２にあっては、縦電流バランスが悪い場合には、パルストランスＰＴ２の二次側に上記コモンモードの不要波成分が現れ、データ通信品質の低下を招来する。
【０００７】
上記に対して、パルストランスＰＴ１においては、取り扱う周波数が０．３〜３．４ＫＨｚ程度と低く、コモンモードで重畳するノイズの影響は多くはない。また、周波数の範囲が主帯域であり、扱う信号レベルが大きく、パルストランスＰＴ２程の精度が要求される訳ではない。
【０００８】
上記のパルストランスＰＴ２における不具合を詳細に説明する。図９に示すように、入力側の２線にコモンモードの信号ＳＩＧが大地との間に発生したとすると、電流Ｉ１、Ｉ２が一次側コイルに流れ、第１の一次側コイルＰ１により実線にて示す磁束Ｆ１が発生し、第２の一次側コイルＰ２により破線にて示す磁束Ｆ２が発生する。ここで、第１の一次側コイルＰ１と第２の一次側コイルＰ２に何らか（ＤＣＲ（直流電流を流したときの抵抗値）、巻数、ストレー（巻線間の浮遊容量）、二次側コイルＳとの結合度等）に差が存在すると、磁束Ｆ１、Ｆ２に差が生じてしまう。
【０００９】
磁束Ｆ１、Ｆ２に差がなければ、その方向が互いに逆方向であり、打ち消し合うが、差があるときには差に応じて二次側コイルＳに誘導電圧が発生する。この場合、周波数が高い領域ほどコモンモードの信号ＳＩＧが発生し易く、バランスを取るのが困難となる。
【００１０】
従来、図９のようなパルストランスＰＴ２においては、一次側と二次側の結合を十分に確保するために、第１の二次側巻線Ｓ１と第２の二次側巻線Ｓ２とをバイファラ巻とし、バランスを取る。上記のバイファラ巻された第１の二次側巻線Ｓ１と第２の二次側巻線Ｓ２とを第１の一次側巻線Ｐ１と第２の一次側巻線により挟み込んだ構造を採用する。図１０はボビン１００の片側断面図を示したもので、実際のボビン１００や各巻線Ｐ１、Ｐ２、Ｓ１及びＳ２は、図示の中心線を中心に３６０度回転させた状態となっている。
【００１１】
図１０の矢印は、巻線の巻き進み方向を示している。そして、第１の一次側巻線Ｐ１が軸１０３に対し第１のフランジ１０１に近接する第４の端子４側から第２のフランジ１０２に近接する第３の端子３側へ巻き進まれ、第２の一次側巻線Ｐ２が第１のフランジ１０１に近接する第２の端子２側から第２のフランジ１０２に近接する第１の端子１側へ巻き進まれている。また、第１の二次側巻線Ｓ１と第２の二次側巻線Ｓ２とはバイファラ巻により、第２のフランジ１０２に近接する第５の端子５と第７の端子７側から第２のフランジ１０２に近接する第６の端子６と第８の端子８側へと巻き進まれている。
【００１２】
このため、第１の一次側巻線Ｐ１と第２の一次側巻線Ｐ２とを比較すると、対応する端子である第１の端子１と第４の端子４との位置は第１の二次側巻線Ｓ１と第２の二次側巻線Ｓ２に対して異なる電気的磁気的条件に配置され、対応する端子である第２の端子２と第３の端子３との位置も第１の二次側巻線Ｓ１と第２の二次側巻線Ｓ２対して異なる電気的磁気的条件に配置されていることになる。つまり、縦電流バランスが取られ得る配置とはなっていなかった。
【００１３】
本発明は上記のような事情に鑑みなされたもので、その目的は、例えばＡＤＳＬにおけるデータ通信の回路側に用いるパルストランスにおいて縦電流バランスを良好にし、リーケージインダクタンスを少なく、つまり結合度を良好にしたものを提供することにある。
【００１４】
【課題を解決するための手段】
本発明の請求項１に係るパルストランスは、第１及び第２のフランジを有し、この第１のフランジと第２のフランジとの間に各巻線が巻回されるボビンと、巻開始端であると共に接地されない第１の端子と巻終了端であると共に接地される第２の端子との間を結ぶ第１の一次側巻線と、巻終了端であると共に接地される第３の端子と巻開始端であると共に接地されない第４の端子との間を結ぶ第２の一次側巻線と、巻開始端であると共に接地されない第５の端子と巻終了端であると共に接地される第６の端子との間を結ぶ第１の二次側巻線と、巻開始端であると共に接地される第７の端子と巻終了端であると共に接地されない第８の端子との間を結ぶ第２の二次側巻線と、を具備し、前記第１及び第２の二次側巻線がバイファラ巻きにより、巻開始端と巻終了端とが同じ第２のフランジに近接するように偶数層巻きされ、前記第１の一次側巻線と前記第２の一次側巻線の夫々の巻開始端が同じ第１のフランジに近接するように巻回され、前記第１の一次側巻線と前記第２の一次側巻線の夫々の巻終了端とが同じ第２のフランジに近接するように巻回され、前記第１の一次側巻線の巻旋回方向に対し、前記第２の一次側巻線の巻き旋回方向が逆方向とされていることを特徴とする。
【００１５】
本発明の請求項２に係るパルストランスは、前記第１及び第２の二次側巻線が、前記第１の一次側巻線と前記第２の一次側巻線により挟まれた状態で積層される如く巻回され、前記第１及び第２の二次側巻線と前記第１の一次側巻線との間と、前記第１及び第２の二次側巻線と前記第２の一次側巻線との間に、夫々所要の巻数の絶縁テープが巻回されていることを特徴とする。
【００１６】
本発明の請求項３に係るパルストランスは、第１及び第２のフランジを有し、この第１のフランジと第２のフランジとの間に各巻線が巻回されるボビンと、巻終了端であると共に接地されない第１の端子と巻開始端であると共に接地される第２の端子との間を結ぶ第１の一次側巻線と、巻開始端であると共に接地されない第１の端子と巻終了端であると共に接地される第２の端子との間を結ぶ第２の一次側巻線と、巻終了端であると共に接地される第３の端子と巻開始端であると共に接地されない第４の端子との間を結ぶ第３の一次側巻線と、巻開始端であると共に接地される第３の端子と巻終了端であると共に接地されない第４の端子との間を結ぶ第４の一次側巻線と、巻開始端であると共に接地されない第５の端子と巻終了端であると共に接地される第６の端子との間を結ぶ第１の二次側巻線と、巻開始端であると共に接地される第７の端子と巻終了端であると共に接地されない第８の端子との間を結ぶ第２の二次側巻線と、を具備し、前記第１の一次側巻線と前記第２の一次側巻線とが、前記第１の端子と前記第２の端子との間に並列接続され、前記第３の一次側巻線と前記第４の一次側巻線とが、前記第３の端子と前記第４の端子との間に並列接続され、前記第１及び第２の二次側巻線がバイファラ巻きにより、巻開始端と巻終了端とが同じ第２のフランジに近接するように偶数層巻きされ、前記第１及び第３の一次側巻線がバイファラ巻きにより、巻開始端と巻終了端とが同じ第１のフランジに近接するように偶数層巻きされ、前記第２及び第４の一次側巻線がバイファラ巻きにより、巻開始端と巻終了端とが同じ第１のフランジに近接するように偶数層巻きされ、前記第１及び第３の一次側巻線の巻旋回方向に対し、前記第２及び第４の一次側巻線の巻旋回方向が逆方向とされていることを特徴とする。
【００１７】
本発明の請求項４に係るパルストランスは、前記第１及び第２の二次側巻線が、前記第１及び第３の一次側巻線と前記第２及び第４の一次側巻線により挟まれた状態で積層される如く巻回され、前記第１及び第２の二次側巻線と前記第１及び第３の一次側巻線との間と、前記第１及び第２の二次側巻線と前記第２及び第４の一次側巻線との間に、夫々所要の巻数の絶縁テープが巻回されていることを特徴とする。
【００１８】
【発明の実施の形態】
以下添付図面を参照して本発明に係るパルストランスの実施の形態を説明する。各図において、同一の構成要素には同一の符号を付して重複する説明を省略する。本発明に係る各パルストランスにおいても、図７に示すパルストランスＰＴ２の位置に設けられる。
【００１９】
図１に示す第１の実施の形態に係るパルストランスは、回路構成が図２に示される如くに構成される。つまり、このパルストランスは、接地されない第１の端子１と接地される第２の端子２との間を結ぶ第１の一次側巻線Ｐ２と、接地される第３の端子３と接地されない第４の端子４との間を結ぶ第２の一次側巻線Ｐ１と、接地されない第５の端子５と接地される第６の端子６との間を結ぶ第１の二次側巻線Ｓ１と、接地される第７の端子７と接地されない第８の端子８との間を結ぶ第２の二次側巻線Ｓ２とを具備する。なお、図２において黒丸マークは、巻線の極性を表している。
【００２０】
上記各巻線Ｐ１、Ｐ２、Ｓ１及びＳ２は、図１に示される第１のフランジ１１及び第２のフランジ１２を有するボビン１０に巻回される。この図１は、ボビン１０の片側断面図を示したもので、実際のボビン１０や各巻線Ｐ１、Ｐ２、Ｓ１及びＳ２は、図示の中心線を中心に３６０度回転させた状態となっている。また、矢印は巻線の巻き進み方向を示す。
【００２１】
ボビン１０の軸１３には第１の一次側巻線Ｐ１が巻回され、第１のフランジ１１に近接する端子４側が巻開始端とされ、第２のフランジ１２に近接する端子３側が巻終了端とされている。ここでは、第１の一次側巻線Ｐ１は１層だけ巻回されているが、特に何層であるかに制限はない。
【００２２】
一次側巻線Ｐ１の層の上層には、第１の二次側巻線Ｓ１及び第２の二次側巻線Ｓ２がバイファラ巻きにより、巻開始端と巻終了端とが同じフランジ（ここでは、第２のフランジ１２）に近接するように、偶数層（ここの実施の形態では、２層）巻回されている。ここに、バイファラ巻とは、２本の対になった線を整列させて巻回させることをいう。
【００２３】
バイファラ巻きされた第１の二次側巻線Ｓ１及び第２の二次側巻線Ｓ２の上層には、第１の一次側巻線Ｐ１の巻開始端と同じフランジ（ここでは、第１のフランジ１１）側が巻開始端とされ、第１の一次側巻線Ｐ１の巻終了端と同じフランジ（ここでは、第２のフランジ１２）側が巻終了端とされて、第２の一次側巻線Ｐ２が第１の一次側巻線Ｐ１と同じ層数だけ巻回されている。
【００２４】
更に、第１の一次側巻線Ｐ１の巻旋回方向（線の芯に×マークにて示すように、紙面から遠ざかる方向）に対し、第２の一次側巻線Ｐ２の巻き旋回方向が逆方向（線の芯に・マークにて示すように、紙面へ向かう方向）とされている。第２のフランジ１２側から見て、第１の一次側巻線Ｐ１の巻旋回方向は右回りであるのに対し、第２の一次側巻線Ｐ２の巻旋回方向は左回りである。
【００２５】
以上のように構成されているので、第１の一次側巻線Ｐ１と第２の一次側巻線Ｐ２の巻旋回方向が逆方向であり、極性が図２の通りになる。しかも、第１の一次側巻線Ｐ１の巻開始端（端子４）と第２の一次側巻線Ｐ２の巻開始端（端子１）は、二次側巻線Ｓ１、Ｓ２の中点付近に位置し、第１の一次側巻線Ｐ１の巻終了（端子３）端と第２の一次側巻線Ｐ２の巻終了端（端子２）は、二次側巻線Ｓ１、Ｓ２の巻開始端（或いは巻終了端）付近に位置することになり、第１の一次側巻線Ｐ１と第２の一次側巻線Ｐ２は、二次側巻線Ｓ１、Ｓ２に対して電気的磁気的に等価な（または、対象的な）位置に配置されていることになる。つまり、縦電流バランスが良好になり、リーケージインダクタンスを少なく、つまり結合度が良好になる。
【００２６】
図３に第１の実施の形態の変形例を示す。このパルストランスでは、第１の二次側巻線Ｓ１及び第２の二次側巻線Ｓ２と、第１の一次側巻線Ｐ１との間に絶縁テープＴＰ１が巻回され、第１の二次側巻線Ｓ１及び第２の二次側巻線Ｓ２と、第２の一次側巻線Ｐ２との間に絶縁テープＴＰ２が巻回され、夫々所要の巻数の絶縁テープが巻回されていることを特徴とする。
【００２７】
上記変形例によれば、絶縁テープＴＰ１、ＴＰ２により各巻線間の絶縁がより適切になり、絶縁テープＴＰ１、ＴＰ２の巻数を適宜にして容量結合の度合いを少なくし、縦電流バランスをより良好にすることができる。
【００２８】
図４に示す第２の実施の形態に係るパルストランスは、回路構成が図５に示される如くに構成される。つまり、このパルストランスは、接地されない第１の端子１と接地される第２の端子２との間を結ぶように並列接続された第１の一次側巻線Ｐ１ａ及び第２の一次側巻線Ｐ１ｂと、接地される第３の端子３と接地されない第４の端子４との間を結ぶように並列接続された第３の一次側巻線Ｐ２ａ及び第４の一次側巻線Ｐ２ｂと、接地されない第５の端子５と接地される第６の端子６との間を結ぶ第１の二次側巻線Ｓ１と、接地される第７の端子７と接地されない第８の端子８との間を結ぶ第２の二次側巻線Ｓ２とを具備する。なお、図５において黒丸マークは、巻線の極性を表している。
【００２９】
上記各巻線Ｐ１ａ、Ｐ１ｂ、Ｐ２ａ、Ｐ２ｂ、Ｓ１及びＳ２は、図４に示される第１のフランジ２１及び第２のフランジ２２を有するボビン２０に巻回される。この図４は、ボビン２０の片側断面図を示したもので、実際のボビン２０や各巻線Ｐ１ａ、Ｐ１ｂ、Ｐ２ａ、Ｐ２ｂ、Ｓ１及びＳ２は、図示の中心線を中心に３６０度回転させた状態となっている。また、矢印は巻線の巻き進み方向を示している。
【００３０】
ボビン２０の軸２３には第１の一次側巻線Ｐ１ａ及び第３の一次側巻線Ｐ２ａがバイファラ巻きにより、巻開始端と巻終了端とが同じフランジ（ここでは、巻開始端が第１のフランジ２１）に近接するように偶数層（ここでは、２層）巻きされている。
【００３１】
バイファラ巻きされた第１の一次側巻線Ｐ１ａ及び第３の一次側巻線Ｐ２ａの層の上層には、第１の二次側巻線Ｓ１及び第２の二次側巻線Ｓ２がバイファラ巻きにより、巻開始端と巻終了端とが同じフランジ（ここでは、巻開始端が第２のフランジ２２）に近接するように偶数層（ここでは、２層）巻きされている。
【００３２】
バイファラ巻きされた第１の二次側巻線Ｓ１及び第２の二次側巻線Ｓ２の層の上層には、第２の一次側巻線Ｐ１ｂ及び第４の一次側巻線Ｐ２ｂがバイファラ巻きにより、巻開始端と巻終了端とが同じフランジ（ここでは、巻開始端が第１のフランジ２１）に近接するように偶数層（ここでは、２層）巻きされている。
【００３３】
そして、第１の一次側巻線Ｐ１ａ及び第３の一次側巻線Ｐ２ａの巻旋回方向（線の芯に×マークにて示すように、紙面から遠ざかる方向）に対し、第２の一次側巻線Ｐ１ｂ及び第４の一次側巻線Ｐ２ｂの巻旋回方向が逆方向（線の芯に・マークにて示すように、紙面へ向かう方向）とされている。第２のフランジ２２側から見て、第１の一次側巻線Ｐ１ａ及び第３の一次側巻線Ｐ２ａの巻旋回方向は右回りであるのに対し、第２の一次側巻線Ｐ１ｂ及び第４の一次側巻線Ｐ２ｂの巻旋回方向は左回りである。
【００３４】
以上のように構成されているので、第１の一次側巻線Ｐ１ａ及び第３の一次側巻線Ｐ２ａの巻旋回方向と第２の一次側巻線Ｐ１ｂ及び第４の一次側巻線Ｐ２ｂの巻旋回方向は逆方向であり、極性が図５の通りになる。
【００３５】
しかも、第１の一次側巻線Ｐ１ａ及び第３の一次側巻線Ｐ２ａの巻開始端及び巻終了端（端子１〜４）と、第２の一次側巻線Ｐ１ｂ及び第４の一次側巻線Ｐ２ｂの巻開始端及び巻終了端（端子１〜４）とは、いずれも二次側巻線Ｓ１、Ｓ２の中点付近に位置し、二次側巻線Ｓ１、Ｓ２に対して電気的磁気的に等価な（または、対象的な）位置に配置されていることになる。つまり、このトランスにおいて縦電流バランスが良好になり、リーケージインダクタンスを少なく、つまり結合度が良好になる。
【００３６】
図６に第２の実施の形態の変形例を示す。このパルストランスでは、第１の二次側巻線Ｓ１及び第２の二次側巻線Ｓ２と、第１の一次側巻線Ｐ１ａ及び第３の一次側巻線Ｐ２ａの間に絶縁テープＴＰ３が巻回され、第１の二次側巻線Ｓ１及び第２の二次側巻線Ｓ２と、第２の一次側巻線Ｐ２ｂ及び第４の一次側巻線Ｐｂとの間に絶縁テープＴＰ４が巻回され、絶縁テープＴＰ３およびＴＰ４はそれぞれ所要の巻数が巻回されていることを特徴とする。
【００３７】
上記変形例によれば、絶縁テープＴＰ３、ＴＰ４により各巻線間の絶縁がより適切になり、絶縁テープＴＰ３、ＴＰ４の巻数を適宜にして容量結合の度合いを少なくし、縦電流バランスをより良好にすることができる。
【００３８】
【発明の効果】
以上説明したように本発明によれば、接地される端子を中心として２群に別れて結合される一次側巻線の各巻線が、第１の二次側巻線及び第２の二次側巻線に対して、対象な位置関係に巻回されるので、電気磁気的にも等価な（または、対象的な）位置となり、縦電流バランスが良好になり、リーケージインダクタンスを少なく、つまり結合度が良好になる効果が得られる。
【図面の簡単な説明】
【図１】本発明の第１の実施の形態に係るパルストランスの要部断面図。
【図２】本発明の第１の実施の形態に係るパルストランスの回路図。
【図３】本発明の第１の実施の形態の変形例に係るパルストランスの要部断面図。
【図４】本発明の第２の実施の形態に係るパルストランスの要部断面図。
【図５】本発明の第２の実施の形態に係るパルストランスの回路図。
【図６】本発明の第２の実施の形態の変形例に係るパルストランスの要部断面図。
【図７】ＡＤＳＬにおけるパルストランスの配置を示す図。
【図８】ＡＤＳＬにおけるパルストランスのうち、データ通信用の回路に用いられるパルストランスに関する部分を示す図。
【図９】ＡＤＳＬに用いられるパルストランスの動作を説明する回路図。
【図１０】従来のパルストランスの要部断面図。
【符号の説明】
１  第１の端子
２  第２の端子
３  第３の端子
４  第４の端子
５  第５の端子
６  第６の端子
７  第７の端子
８  第８の端子
１０、２０  ボビン
１１、２１  第１のフランジ
１２、２２  第２のフランジ
１３、２３  軸
Ｐ１，Ｐ１ａ  第１の一次側巻線
Ｐ２，Ｐ１ｂ  第２の一次側巻線
Ｐ２ａ  第３の一次側巻線
Ｐ２ｂ  第４の一次側巻線
Ｓ１  第１の二次側巻線
Ｓ２  第２の二次側巻線
【図１】
0004679006.tif 000002
【図２】
0004679006.tif 000003
【図３】
0004679006.tif 000004
【図４】
0004679006.tif 000005
【図５】
0004679006.tif 000006
【図６】
0004679006.tif 000007
【図７】
0004679006.tif 000008
【図８】
0004679006.tif 000009
【図９】
0004679006.tif 000010
【図１０】
0004679006.tif 000011